(57)【要約】【課題】  シートにトナー画像を定着する定着手段によって加熱されたシートにカールが発生しないにする。【解決手段】  プリンタ５０は、トナー画像が形成された感光体ドラム１ａ乃至１ｄから記録材Ｓにトナー画像を転写する転写ローラ１２ａ乃至１２ｄと、シートを加熱してシートにトナー画像を定着する定着ローラ対２１と、定着ローラ対の下流側でシートを搬送する搬送ローラ対２３と、搬送ローラ対の下流側でシートを搬送する排出ローラ対２８と、定着ローラ対と排出ローラ対とに跨って搬送されているシートに搬送ローラ対と排出ローラ対との間で接触して該シートを冷却する冷却ローラ２５と、を備え、冷却ローラ２５は、シートのトナー画像を定着された面の裏面に接触するようになっている。【選択図】      図１
2005164866.tif 000002
【特許請求の範囲】
【請求項１】
トナー画像が形成された形成部からシートに前記トナー画像を転写する転写手段と、
前記シートを加熱して前記シートに前記トナー画像を定着する定着手段と、
前記定着手段の下流側で前記シートを搬送する第１搬送手段と、
前記第１搬送手段の下流側で前記シートを搬送する第２搬送手段と、
前記定着手段と前記第２搬送手段とに跨って搬送されている前記シートに前記第１搬送手段と前記第２搬送手段との間で接触して該シートを冷却する冷却手段と、を備え、
前記冷却手段は、前記シートのトナー画像を定着された面の裏面に接触していることを特徴とする画像形成装置。
【請求項２】
前記定着手段と、前記第１搬送手段と、前記第２搬送手段は、前記シートのトナー画像を定着された面を内側にして前記シートを案内する円弧状の搬送路に配列され、前記冷却手段は、前記搬送路の円弧の外側に配設されていることを特徴とする請求項１に記載の画像形成装置。
【請求項３】
前記冷却手段は、前記シートに対して接離可能であることを特徴とする請求項１又は２に記載の画像形成装置。
【請求項４】
前記冷却手段は、金属製のローラであることを特徴とする請求項１乃至３のいずれか１項に記載の画像形成装置。
【請求項５】
前記シートのトナー画像を定着された面をエアーによって冷却する冷却ファンを備えたことを特徴とする請求項１乃至４のいずれか１項に記載の画像形成装置。
【発明の詳細な説明】
【技術分野】
【０００１】
本発明は、シートに画像を形成する画像形成装置、特に、シートにトナー画像を転写し、そのシートを加熱してトナー画像をシートに定着する画像形成装置に関する。
【背景技術】
【０００２】
この種の画像形成装置には、定着部を備えた電子写真装置、静電記録装置等がある。具体的には、複写機、プリンタ、ファクシミリ、及びこれらの複合器等がある。また、画像形成装置には、形成する画像が、モノクロの場合と、カラーの場合とがある。（例えば、特許文献１参照）
【０００３】
以下、カラー画像形成装置について説明する。カラー画像形成装置は、１つの像担持体と、この像担持体上に各色ごとに形成されるトナー画像が順次重ねられる中間転写体と、トナー画像をシートである記録材に定着させる定着部とを、像担持体をトナー現像する４色の現像器を備えたリボルバー式の現像ユニットを中心にして配置してあるものが主流である。しかし、この構成は、１枚のカラー画像を得るのにトナー画像を順次形成して、重ね合わせるというプロセスをイエロー、マゼンタ、シアン、ブラックの４色の色毎に繰り返す必要がある。このため、この種のカラー画像形成装置は、同一時間内に、モノクロ画像形成装置画像が４枚の記録材に画像を形成するのに対して１枚しか画像を形成することができず、画像形成能率が悪い。
【０００４】
そこで、近年、高速化を目的とした、インライン方式のカラー画像形成装置の開発が進められている。このカラー画像形成装置は、例えば、上記４色に対応する４つの画像形成ユニットと定着部とを、ほぼ一直線状に並べて、記録材の搬送パスが１パスとなるように構成されている。その配置構成は、複数の画像形成ユニットを図５に示すように縦に並べた場合と、図６に示すように横に並べた場合の２つの形式に大きく分けられる。
【０００５】
図５に示す、カラー画像形成装置は、画像形成ユニット１０２ａ乃至１０２ｄを通過させながら記録材に各色のトナー画像を順次転写させた後、装置全体の上部に設けてあるトナー画像を記録材に定着する定着手段である定着部１０３によって記録材にトナー画像を定着した後、排紙トレー１０４に排出するようになっている。この場合、搬送パス１０１が縦であるのに対して、排紙トレー１０４がほぼ水平になっているため、定着１０３の下流側の排出パス１０５は、搬送パス１０１に対して小さな曲率半径で急に湾曲している。
【０００６】
図６に示す、搬送パス２０１が横になっているカラー画像形成装置２００も、画像形成ユニット２０２ａ乃至２０２ｄを通過させながら記録材に各色のトナー画像を順次転写させた後、トナー画像を記録材に定着する定着手段である定着部２０３によって記録材にトナー画像を定着し、排紙トレー２０４に排出するようになっている。本装置の場合、搬送パス２０１と排紙トレー２０４とがほぼ一直線状に配設されているので、定着部２０３の下流側の排出パス２０５は、搬送パス２０３とともに一直線状に延びている。
【０００７】
【特許文献１】特開平６−３１７９５９号公報
【発明の開示】
【発明が解決しようとする課題】
【０００８】
ところで、最近、画像形成装置は、オーバーヘッドプロジェクタ（Ｏｖｅｒ  Ｈｅａｄ  Ｐｒｏｊｅｃｔｏｒ）用のシート（以下、「ＯＨＰシート」という）に画像を形成することが要求されている。ＯＨＰシートはポリエチレンテレフタレート（ＰＥＴ）等からなる合成樹脂フィルムで形成されており、通常の紙に比べて熱容量が大きいため、トナー画像を定着させるのに、通常より多くの熱供給が必要である。
【０００９】
そこで、ＯＨＰシートに形成されたトナー画像を定着する場合、定着温度を上げたり、定着搬送速度を落としたりして単位時間当たりに与える熱量を大きくしている。
【００１０】
このため、上記カラー画像形成装置１００，２００において、ＯＨＰシートが定着器１０，２０３の定着ニップＮを通過して、排出ローラ対１０６，２０６によって排紙トレー１０４，２０４に排出されるため、ＯＨＰシートは、トナー画像定着面側の熱が、排出ローラ対１０６，２０６によって急速に奪われて、ＯＨＰシートの表裏面の温度差によって急速に硬化し、カールすることがあった。このため、ＯＨＰシートは、排紙トレー１０４，２０４上でカールして排紙トレーに順次積層状に積載されなかったり、排出パス１０５，２０５の出口を塞ぎ後続のＯＨＰシートの排出の邪魔になったりすることがあった。
【００１１】
特に、図５に示す、カラー画像形成装置１００のように、ＯＨＰシートが、急激に湾曲した排出パス１０５を通過するとき、コールドスタート時において、搬送速度を落として搬送されていることも影響して、排出パス１０５の形状に合わされてカールすることがあった。
【００１２】
なお、カールは、ＯＨＰシートのみならず、普通紙の記録材においても同様に発生していた。
【００１３】
本発明は、シートにトナー画像を定着する定着手段によって加熱されたシートにカールが発生しないようにした画像形成装置を提供することを目的としている。
【課題を解決するための手段】
【００１４】
上記目的を達成するため、本発明の画像形成装置は、トナー画像が形成された形成部からシートに前記トナー画像を転写する転写手段と、前記シートを加熱して前記シートに前記トナー画像を定着する定着手段と、前記定着手段の下流側で前記シートを搬送する第１搬送手段と、前記第１搬送手段の下流側で前記シートを搬送する第２搬送手段と、前記定着手段と前記第２搬送手段とに跨って搬送されている前記シートに前記第１搬送手段と前記第２搬送手段との間で接触して該シートを冷却する冷却手段と、を備え、前記冷却手段は、前記シートのトナー画像を定着された面の裏面に接触している。
【００１５】
本発明の画像形成装置における、前記定着手段と、前記第１搬送手段と、前記第２搬送手段は、前記シートのトナー画像を定着された面を内側にして前記シートを案内する円弧状の搬送路に配列され、前記冷却手段は、前記搬送路の円弧の外側に配設されている。
【００１６】
本発明の画像形成装置における、前記冷却手段は、前記シートに対して接離可能である。
【００１７】
本発明の画像形成装置における、前記冷却手段は、金属製のローラである。
【００１８】
本発明の画像形成装置は、前記シートのトナー画像を定着された面をエアーによって冷却する冷却ファンを備えている。
【発明の効果】
【００１９】
本発明の画像形成装置は、冷却手段が、シートのトナー画像を定着された面の裏面に接触するようになっているので、コールドスタート時におけるシート、例えば、ＯＨＰ用用紙にトナー画像を定着した後におけるＯＨＰ用用紙の表裏の温度差を少なくすることができて、カールの発生を防止することができる。
【００２０】
本発明の画像形成装置は、シートのカールを矯正することによって、排紙積載性等に影響のあるカールを少なくして、シートを積載しやすくすることができる。
【００２１】
本発明の画像形成装置は、冷却手段がシートを冷却する役目とカールを矯正する役目とを兼用しているので、構造を簡素化して、コストを下げることができる。
【発明を実施するための最良の形態】
【００２２】
以下、本発明の画像形成装置を図面に基づいて説明する。
【００２３】
（画像形成装置の全体構成）
図１は、本発明の実施形態における画像形成装置であるフルカラーレーザービームプリンタ（以下、単に「プリンタ」という）の概略断面図である。
【００２４】
なお、本発明の画像形成装置は、プリンタに限定されるものではない。トナーによって画像を形成する、複写機、ファクシミリ、及びこれらの複合器等も含むものであり、本発明は、プリンタのみに限定されるものではない。また、記録材には、普通紙、樹脂製のシート、厚紙、ＯＨＰ用の用紙等がある。
【００２５】
プリンタ５０は、垂直方向に並設された４個の感光体ドラム１ａ，１ｂ，１ｃ，１ｄを備えている。感光体ドラム１は、駆動手段（不図示）によって、同図中、反時計回りに回転するようになっている。感光体ドラム１の周囲には、その回転方向に従って順に、感光体ドラム１の表面を均一に帯電する帯電器２ａ、２ｂ、２ｃ、２ｄ、画像情報に基づいてレーザービームを照射し感光体ドラム１に静電潜像を形成するスキャナユニット３ａ、３ｂ、３ｃ、３ｄ、静電潜像にトナーを付着させてトナー画像として現像する現像器４ａ、４ｂ、４ｃ、４ｄ、感光体ドラム１上のトナー画像を記録材Ｓに転写させる静電転写装置５、転写後の感光体ドラム１表面に残った転写残トナーを除去するクリーニング部６ａ、６ｂ、６ｃ、６ｄ等が配設されている。
【００２６】
ここで、感光体ドラム１、帯電器２、現像器４、クリーニング部６は一体的にカートリッジ化された形成部であるプロセスカートリッジ７ａ、７ｂ、７ｃ、７ｄを形成している。
【００２７】
なお、感光体ドラム、帯電器、スキャナユニット、現像器、プロセスカートリッジ、ポリゴンミラ、転写ローラを、各々総称して言うときには符号１，２，３，４，７，９，１２を、使用する。
【００２８】
感光体ドラム１は、例えば、直径約３０ｍｍのアルミシリンダの外周面に有機光導伝体層（ＯＰＣ感光体）を塗布して形成してある。感光体ドラム１は、その両端部を支持部材に回転自在に支持されて、一方の端部に駆動モータ（不図示）からの駆動力が伝達されることにより、反時計周りに回転するようになっている。
【００２９】
本実施形態の帯電器２は、接触帯電方式を採用している。帯電器２は、ローラ状に形成された導電性を備えたローラである。帯電器２は、このローラを感光体ドラム１の回転表面に当接させるとともに、このローラに帯電バイアス電圧を印加することによって、感光体ドラム１の回転表面を一様に帯電させるようになっている。
【００３０】
スキャナユニット３は、感光体ドラム１の横方向に感光体ドラム１とほぼ同一高さに配設してある。スキャナモーター（不図示）によって高速回転するポリゴンミラ９ａ、９ｂ、９ｃ、９ｄには、レーザーダイオード（不図示）によって画像信号に対応する画像光が照射される。ポリゴンミラ９を反射した画像光は、結像レンズ１０ａ、１０ｂ、１０ｃ、１０ｄを介して帯電済みの感光体ドラム１の回転表面を選択的に露光して感光体ドラム１の回転表面に静電潜像を形成するようになっている。
【００３１】
現像器４ａ，４ｂ，４ｃ，４ｄは、それぞれイエロー、マゼンタ、シアン、ブラックの各色のトナーを夫々収納した不図示のトナーケースを有している。
【００３２】
静電転写ベルト１１は、約１０１１Ω・ｃｍ乃至約１０１４Ω・ｃｍの体積固有抵抗を備えた厚さ約１５０μｍ、周長約７００ｍｍのフィルム状部材で形成されている。この静電転写ベルト１１は、４つのベルト駆動ローラ１３、従動ローラ１４ａ、１４ｂ、テンションローラ１５に支持されて、図中左側の外周面に記録材Ｓを静電吸着し、すべての感光体ドラム１ａ，１ｂ，１ｃ，１ｄに記録材Ｓを接触させながら矢印方向に縦循環するようになっている。これにより、静電転写ベルト１１が循環して、記録材Ｓが従動ローラ１４ａ側からベルト駆動ローラ１３側へ搬送される間に、感光体ドラム１上のトナー画像が転写材Ｓに転写される。
【００３３】
転写手段である転写ローラ１２ａ，１２ｂ，１２ｃ，１２ｄは、静電転写ベルト１１の内側に当接して、４個の感光体ドラム１ａ，１ｂ，１ｃ，１ｄに対向した位置に並設してある。これら転写ローラ１２から正極性の電荷が静電転写ベルト１１を介して記録材Ｓに印加されて、この電荷による電界により、感光体ドラム１に接触中の記録材に、感光体ドラム１上の負極性のトナー画像が転写される。給紙部１６は、給紙カセット１９、給紙ローラ１８、レジストローラ対１９等を有して、画像形成部に記録材Ｓを給送するようになっている。
【００３４】
画像形成動作を説明する。
【００３５】
プロセスカートリッジ７ａ、７ｂ、７ｃ、７ｄが、印字タイミングに合わせて順次駆動する。その駆動に応じて感光体ドラム１ａ、１ｂ、１ｃ、１ｄが、反時計回り方向に回転する。そして、各々のプロセスカートリッジ７に対応するスキャナユニット３が順次駆動する。この駆動によって、帯電ローラ２は感光体ドラム１の周面に一様に電荷を付与する。スキャナユニット３は、その感光体ドラム１の周面に画像信号に応じて露光を行い、感光体ドラム１の周面上に静電潜像を形成する。現像器４は、静電潜像の低電位部にトナーを転移させて感光体ドラム１の周面上にトナー画像を形成（トナー現像）する。
【００３６】
一方、給紙部１６の給紙ローラ１８（半月ローラ）は、スキャナユニット３とプロセスカートリッジ７との画像形成動作に応じて回転を開始し、複数枚の記録材Ｓが収納されている給紙カセット１７内の記録材Ｓを分離給送して、回転停止しているレジストローラ対１９に記録材Ｓの先端を突き当てる。しかし、給紙ローラ１８は、回転を継続する。このため、記録材Ｓは、先端を停止させられるが、後端部を搬送させられるので、ループが形成される。
【００３７】
そして、レジローラ対１９は、最上流側の感光体ドラム１ａの周面上に形成されたトナー画像の先端が、静電転写ベルト１１との対向点に回転搬送されてくるタイミングで、その対向点に記録材Ｓの印字開始位置が一致するように、始動回転して、記録材Ｓを静電転写ベルト１１に給送する。記録材Ｓは、静電吸着ローラ２２と静電転写ベルト１１とに挟み込まれて静電転写ベルト１１の外周に圧接される。
【００３８】
そして、静電転写ベルト１１と静電吸着ローラ２２との間に電圧が印加される。これによって、誘電体である記録材Ｓと静電転写ベルト１１の誘電体層に電荷が誘起する。記録材は、この誘起電荷によって、静電転写ベルト１１の外周に安定して静電吸着されて、最下流側の転写ローラ１２ｄまで搬送される。
【００３９】
記録材Ｓは、搬送されながら、各感光体ドラム１と転写ローラ１２との間に形成される電界によって、各感光体ドラム１のトナー画像を順次転写される。４色のトナー画像を転写された記録材Ｓは、ベルト駆動ローラ１３の湾曲した部分により静電転写ベルト１１から分離されて、定着部２０に搬入される。そして、記録材Ｓは、定着部２０で加熱加圧されてトナー画像を定着される。その後、記録材Ｓは、第１の搬送手段である搬送ローラ対２３と第２の搬送手段である排紙ローラ対２８とによって、排紙部２４に画像面を下にした状態で排出される。
【００４０】
ところで、定着部２０は、熱ローラ方式を採用している。定着部２０は、定着ローラ（加熱ローラ）２１ａと加圧ローラ２１ｂとを有する定着手段である定着ローラ対２１を基本構成としている。定着ローラ対２１は、回転して、定着ローラ２１ａと加圧ローラ２１ｂとの定着ニップＮに進入した記録材Ｓを挟持搬送しながら記録材Ｓに熱を加える。これによって、今まで、シートに確実に定着していなかったトナー画像がシートに確実に定着される。
【００４１】
定着ローラ２１ａは、一般に、アルミニウムの中空金属ローラを基体（芯金）としており、その内空に熱源としてのハロゲンランプを挿入配設してある。定着ローラ２１ａは、基体がハロゲンランプの発熱で加熱されて、ハロゲンランプへの通電を制御することによって、外周面が所定の定着温度に保たれるようになっている。
【００４２】
特に、最大４層のトナー画像層を充分に加熱溶融させて混色させる能力を要求されるフルカラーの定着部２０は、定着ローラ２１ａの芯金を高い熱容量を有するものにして、その芯金外周にトナー画像を包み込んで均一に溶融するためのゴム弾性層を設けて、そのゴム弾性層を介してトナー画像の加熱するようになっている。
【００４３】
給紙ローラ１８からベルト駆動ローラ１３までのシートを案内する搬送パス４１を形成してある。搬送パス４１の下流端には、駆動ローラ１３から排紙部２４までシートを案内する円弧状の搬送路である排出パス４２を接続してある。排出パス４２は、トナー画像を定着された面を内側にしてシートを案内するように円弧状に形成してある。排出パス４２には、定着部２０の定着ローラ対２１、搬送ローラ対２３、及び排出ローラ対２８を配設してある。搬送ローラ対２３は、駆動ローラ２３ａと従動ローラ２３ｂによって構成されている。排出ローラ内２８は、駆動ローラ２８ａと従動ローラ２８ｂとによって構成されている。
【００４４】
図２に示すように、搬送ローラ対２３と排出ローラ対２８との間には、冷却手段である冷却ローラ２５を配設してある。冷却ローラ２５は、シートのトナー画像を定着してある面の裏面側に配設してある。すなわち、冷却ローラ２５は、排出パス４２の円弧の外側に配設してある。すなわち、冷却ローラ２５は、排出パス４２の曲率部の曲率方向とは逆方向に記録材Ｓを曲率させるように配設してある。冷却ローラ２５は、熱容量が大きくて熱伝導性のよいアルミ材、鋼材等の金属製のローラ、あるいは耐熱性に優れた樹脂製のローラである。
【００４５】
冷却ローラ２５は、固定の軸３５に回転自在に設けてあるレバー３４の一端に回転自在に設けてある。レバー３４の他端は、プランジャ３６によって牽引されるようになっている。プランジャ３６に設けてある復帰ばね３７は、レバー３４を反時計方向に回転させるようになっている。搬送ローラ対２３と排出ローラ対２８との間には、記録材Ｓを表裏から案内する１対のガイドリブ２６，２７を配設してある。
【００４６】
定着ローラ対２１の定着ニップＮを通過してトナー画像を定着された記録材Ｓは、駆動ローラ対２３を介してガイドリブ２６，２７の間をへて排紙ローラ対２８に搬送される。
【００４７】
記録材Ｓの先端が、排紙ローラ対２８を通過した後、排紙ローラ対２８と定着ローラ対２１とが、記録材Ｓにテンションを持たせる。その後、プランジャ３６が復帰ばね３７に抗してレバー３４を時計方向に回転させる。冷却ローラ２５は、破線の位置から実線の位置に移動して、記録材Ｓのトナー画像形成面の裏側から記録材Ｓに接触し、シートのテンションに抗して記録材Ｓを破線の位置から実線の位置に押す。レバー３４は、過回転しないようにストッパピン３８に受け止められる。
【００４８】
定着ニップＮ直後の搬送ローラ対２３によって記録材Ｓのトナー画像定着面側の熱が、搬送ローラ対２３によって急速に奪われるコールドスタート時に、記録材Ｓの表裏面の温度差によって記録紙Ｓが急速に硬化して、カールが生じやすくなる。
【００４９】
しかし、記録紙Ｓは、冷却ローラ２５によって冷却されて、排紙ローラ対２８に到達するまでに充分に硬化して排紙ローラ対２８により本体上部のトレー２４上に排出されるため、カールが生じにくくなって、ほとんど、真っ直ぐな状態で排紙部２４に排出される。さらに、記録材Ｓは、排出パス４２の円弧の内側に押圧されるので、より一層、カールが生じにくくなっている。したがって、記録材Ｓ（特に、ＯＨＰ用の用紙）は、冷却ローラ２５の冷却と押圧によって、カールが生じることなく、確実に、ほとんど真っ直ぐな状態で排紙部２４に排出される。
【００５０】
なお、記録材Ｓは、搬送されているときに張り具合が変化することがある。その張り具合に合わせて冷却ローラ２５の位置が変化できるようにするのが好ましい。その構成を図３に示す。
【００５１】
揺動レバー６２は、固定の軸６１に回転自在に設けてある。冷却ローラ２５は、揺動レバー６２の一端に回転自在に設けてある。固定の軸６１には、駆動レバー６３も回転自在に設けてある。揺動レバー６２と駆動レバー６３は、揺動レバー６２の突起６４と駆動レバー６３のピン６５とによって、互いに回転規制されている。揺動レバー６２と駆動レバー６３には、ばね６６を掛け渡してある。ばね６６は、突起６４とピン６５とが当接するように揺動レバー６２と駆動レバー６３とを回転付勢している。駆動レバー６３の一端は、長孔６８とピン６９を介してプランジャ６７に連結してある。プランジャ６７の軸７０に復帰ばね７１を遊嵌してある。復帰ばね７１は、軸７０を破線の位置に移動させて、駆動レバー６３を反時計方向に回転させるようになっている。
【００５２】
プランジャ６７が通電されていないとき、軸７０は復帰ばね７１によって破線の位置に移動し、駆動レバー６３は図の位置より左側に傾いている。揺動レバー６２は、ばね６６によって駆動レバー６３に対して一直線状になって、冷却ローラ２５を排出パス４２から退避させている。記録材Ｓが図２に示す排紙ローラ対２８を通過して、排紙ローラ対２８と定着ローラ対２１との間で張られた状態になったとき、プランジャ３６が作動して復帰ばね３７に抗して駆動レバー６３を時計方向に回転させる。駆動レバー６３は、固定のストッパピン７２に当接して図の位置に停止する。揺動レバー６２は、駆動レバー６３と一体に回転して、冷却ローラ２５を記録材Ｓに当接させる。
【００５３】
記録材Ｓの張り具合が変化して、記録材Ｓが実線の位置から破線の位置に変化したとき、揺動レバー６２のみ、ばね６６に抗し、固定の軸６１を中心にして破線の位置に回転する。このとき、突起６４は、ピン６５から離れる。記録材Ｓが実線の位置に戻ると、揺動レバー６２は、ばね６６によって時計方向に回転させられて、突起６４がピン６５に当接することによって、実線の位置に回転停止させられる。
【００５４】
このようにして、冷却ローラ２５は、記録材Ｓの張り具合に合わせて位置を変えられるようになっている。
【００５５】
記録材Ｓの張り具合に合わせて冷却ローラ２５の位置を変えることのできる構成には、図４に示す構成もある。
【００５６】
冷却ローラ２５は、固定の軸８１に回転自在に設けてある回転レバー８２の一端に回転自在に設けてある。引っ張りばね８３は、回転レバー８２の他端を牽引して、冷却ローラ２５を、常時、排出パス４２に進入させるようになっている。引っ張りばね８３に引っ張られる回転レバー８２は、ストッパピン８４に受け止められて過回転防止されている。
【００５７】
冷却ローラ２５は、通常、図４に示す実線の位置にいる。記録材Ｓが排紙ローラ対２８を通過して、排紙ローラ対２８と定着ローラ対２１との間で張られた状態になったとき、冷却ローラ２５は、記録材Ｓの張り具合に合わせて位置を変える。
【００５８】
なお、記録材Ｓの冷却は、図１に示すように、冷却ローラ２５とともに、プリンタ５０の装置本体５０Ａの上部に設けた冷却ファン３３とによって行ってもよい。冷却ファン３３は、風路Ｌを通るエアーによって、記録材Ｓのトナー画像定着面をコールドスタート時にのみ冷却するようになっている。
【００５９】
したがって、記録材Ｓは、冷却ローラ２５と冷却ファン３３とによって冷却されるため、カールすることが少なくなる。なお、冷却ファン３３は、必ずしも必要としない。
【図面の簡単な説明】
【００６０】
【図１】本発明の実施形態における画像形成装置であるフルカラーレーザービームプリンタの概略正面断面図である。
【図２】図１における、定着器とその周辺の拡大図である。
【図３】冷却ローラを記録材の張り具合に合わせて位置を変えことができるようにした構成の拡大図である。
【図４】冷却ローラを記録材の張り具合に合わせて位置を変えことができるようにした他の構成の拡大図である。
【図５】複数の画像形成ユニットを縦に並べた従来の画像形成装置の断面図である。
【図６】複数の画像形成ユニットを横に並べた従来の画像形成装置の断面図である。
【符号の説明】
【００６１】
Ｌ      風路
Ｓ      記録材（シート）
Ｎ      定着ニップ
１ａ乃至１ｄ    感光体ドラム
２ａ乃至２ｄ    帯電器
３ａ乃至３ｄ    スキャナユニット
４ａ乃至４ｄ    現像器
５      静電転写装置
６ａ乃至６ｄ    クリーニング部
７ａ乃至７ｄ    プロセスカートリッジ（形成部）
９ａ乃至９ｄ    ポリゴンミラ
１０ａ乃至１０ｄ  結像レンズ
１１      静電転写ベルト
１２ａ乃至１２ｄ  転写ローラ（転写手段）
１６      給紙部
２０      定着部
２１      定着ローラ対（定着手段）
２１ａ    定着ローラ
２１ｂ    加圧ローラ
２２      静電吸着ローラ
２３      搬送ローラ対（第１搬送手段）
２３ａ    駆動ローラ
２３ｂ    従動ローラ
２５      冷却ローラ（冷却手段）
２６      ガイドリブ
２７      ガイドリブ
２８      排出ローラ対（第２搬送手段）
２８ａ    駆動ローラ
２８ｂ    従動ローラ
３３      冷却ファン
３４      レバー
３５      固定の軸
３６      プランジャ
３７      復帰ばね
４１      搬送パス
４２      排出パス（円弧状の搬送路）
５０      フルカラーレーザービームプリンタ（カラー画像形成装置）
６２      揺動レバー
６３      駆動レバー
６７      プランジャ
８１      固定の軸
８２      回転レバー
８３      引っ張りばね
【図１】
2005164866.tif 000003
【図２】
2005164866.tif 000004
【図３】
2005164866.tif 000005
【図４】
2005164866.tif 000006
【図５】
2005164866.tif 000007
【図６】
2005164866.tif 000008